(57)【要約】【課題】メディアリストを構築する好適なシステムおよび方法を提供すること。【解決手段】本願発明が提供するシステムおよび方法は、メディアがタグ付けされ、リストされ、続いてアクセスされるように提供される。広告、宣伝、プログラムが組み込まれた商品、および他の適切なインジケータなどのメディアインジケータは、テレビ番組、ペイパービュー番組、ビデオオンデマンド番組、ウェブサイト、および任意の他の適切な番組などの多様なメディアを宣伝するために表示され得る。ユーザは、メディアリストに含めるためのメディアインジケータに関連付けられたメディアにタグ付けし得る。このメディアリストはユーザに提示され得、ユーザは、既にリストに格納されたメディアインジケータに関連付けられたメディアを選択して鑑賞し得る。このことは、興味の機会のリストを格納し、後でその機会に関連した情報を鑑賞するための機能をユーザに提供し得る。【選択図】図２
2008278537.tif 000002
【特許請求の範囲】
【請求項１】
メディアリストを構築して使用する方法であって、
広告を表示することと、
該広告に関連付けられたメディアのメディアリストへの追加を指定するための機会をユーザに提供することと、
選択のために該メディアリストを該ユーザに提示することと、
ユーザ選択に基づいて該メディアリストの１つのアイテムに対する該メディアを該メディアリストから取り出すことと
を包含する、方法。
【発明の詳細な説明】
【技術分野】
【０００１】
（関連出願の相互参照）
本発明は、２０００年１０月１１日に出願された米国仮出願第６０／２３９，
５２３号の利益を主張し、本明細書中に参考として援用する。
【０００２】
（発明の背景）
本願は、メディアのユーザが所望のメディアのリストを構築することを可能に
するシステムおよび方法に関する。
【背景技術】
【０００３】
テレビ番組、ビデオオンデマンドの番組、ペイパービューの番組、インターネ
ットウェブサイト、および他のシステムのユーザには、広範な宣伝、広告（バナ
ータイプの広告を含む）、予告編、制作物、あるいは他の画面上のコンテンツま
たは画面上で番組、インターネットウェブサイト、チャンネル、またはさもなけ
れば、ユーザアクセスのためのメディアを宣伝するか、売り込むか、または説明
するための特集番組が公開される。テレビを見るとき、ユーザは、例えば、通常
のテレビ番組、受動的なガイドテレビチャンネル、バーカーチャンネル、双方向
番組ガイドディスプレイ（または他の双方向テレビアプリケーションディスプレ
イ）、インターネットウェブサイト、または他のタイプの視覚性ディスプレイ上
で、メディアのコマーシャルまたは他の宣伝を見得る。典型的に、インターネッ
トウェブサイトをサーフィンするとき、ユーザは、他のウェブサイトの広告およ
びウェブコンテンツを見得る。さらに、ユーザは、映画、テレビのショー、また
は番組の通常の企画の一部として示され得る制作物についての情報を入手し得る
。
【０００４】
公知の従来のシステムにおいて、そのような宣伝用資料を捜した後で、宣伝用
資料の原文に続いてアクセスすることはユーザにとって困難である。例えば、特
定のチャンネルを検索する最中のユーザは、ユーザが将来のペイパービューチャ
ンネルで購入することを望み得る映画の広告に気付き得る。ペイパービュー映画
の情報にアクセスするために、ユーザは、現在のチャンネル検索を中止すること
を必要とし得る。現在のチャンネル検索により、ユーザは、検索の進行を見失い
得る。従って、このような公知のシステムにおいて、異なる広告または宣伝を分
岐することは、典型的に、異なる多くの分岐を生じる。この分岐は、決してうま
く完結されることなく突き通される。
【０００５】
さらに、メディアリストを構築するためのシステムをユーザに提供することは
、公知の従来システムでは不十分である。ユーザは、メディアリストにおいて、
興味の機会（ｏｐｐｏｒｔｕｎｉｔｙ  ｏｆ  ｉｎｔｅｒｅｓｔ）のリストを格
納して、後になって、その機会に関する情報を見るための方法が提供される。
【発明の開示】
【課題を解決するための手段】
【０００６】
（発明の要旨）
本発明の原理によると、システムおよび方法を構築するメディアリストは、タ
グ付けされ、リストされ、次にアクセスされ得るシステムおよび方法において提
供され得る。
【０００７】
これらのシステムおよび方法は、可能性を構築するメディアリストを提供し得
る。メディアインジケータは、ユーザに特定のメディアを促すためにユーザに提
示され得る。メディアインジケータは、広告（メタタグ（ｍｅｔａｔａｇ）リン
クされたタイプの広告を含む）、宣伝、コマーシャル、制作物に組み込まれた番
組、予告編、アプリケーションの画面上の特集などであり得る。メディアインジ
ケータは、テレビ番組、ビデオオンデマンドの番組、ペイパービューの番組、ウ
ェブサイト、および他のタイプのメディアを含む様々なメディアを促し得る。ユ
ーザは、メディアリストに含めるためにメディアインジケータに従ってメディア
にタグ付けし得る。
【０００８】
タグ付けは、例えば、遠隔制御といったユーザ入力デバイスによってなされ得
る。メディアとメディアインジケータとの関係は、帯域内データストリームにお
いて、ウェブアプリケーション内のインジケータまたは他の方法によって、垂直
ブランキング間隔のデータに基づき得る。例えば、この関係はまた、電子番組ガ
イドから提供されるスケジュール情報に基づき得る。この場合、ユーザがメディ
アインジケータにタグ付けすると、番組ガイドは、例えば、現在の時間および現
在のチャンネルに基づいた特有のメディア関係を判定し得る。従って、メタタグ
リンクは、メディアインジケータ関係に関して使用され得る。
【０００９】
現在の表示動作の妨害をすることなく、メディアのタグ付けが行われ得る。メ
ディアがタグ付けしたことの表示があり得る。
【００１０】
ユーザは、タグ付けされたメディアのリストにアクセスした後に続いて、鑑賞
するためのリストから選択をし得る。リスト上のメディアなどの同じカテゴリに
おいて、および関連したカテゴリにおいて、メディアを宣伝するタグ付けされた
広告が提供され得る。一実施形態において、メディアに関連付けられたプレビュ
ーまたは予告編は、その後に格納されて、随意的にアクセスされ得る。別の実施
形態において、システムは、複数のユーザに関するリストを支持し得る。
【００１１】
またさらに別の実施形態において、ユーザがメディアリストを選択すると、シ
ステムは、メディアの利用可能を判定し得る。メディアが利用不可能である場合
、システムは、メディアの利用不可能の表示をユーザに提供して、リスト上のそ
のメディアを維持するための機会をユーザに提供し得る。メディアが後に利用可
能になると、ユーザは、次のアクセスに関して利用可能であることを通知され得
る。利用可能である場合、ユーザは、見る機会、記録する機会、リマインダを設
定する機会、またはメディアに関連した他の動作をとる機会が提供され得る。
【００１２】
本発明の原理および利点は、以下の詳細な説明を読み、添付の図面を参照する
ことによって明白になる。
【００１３】
本発明は、好適な実施形態に関連して開示され、好適な実施形態は本発明を限
定することを意図しないことは理解される。このことに対して、上掲の特許請求
の範囲によって規定される本発明の意図および範囲内に含まれ得るような代替、
変更、および均等物全てを覆うことが意図される。
【発明を実施するための最良の形態】
【００１４】
（詳細な説明）
図１の例示のシステム１０といったシステムは、メディアリストを構築、提示
、およびアクセスするために提供され得る。ここで図１を参照すると、システム
１０は、メディアインジケータを提供するメディア配給設備１１を含み得る。メ
ディアインジケータは、プログラムリスティング、宣伝、広告（バナータイプを
含む）、予告編、およびメディアインジケータソース１２からの他のマーケティ
ング資料を含み得る。メディア配給設備１１はまた、メディアインジケータデー
タを提供し得る。複数のメディア配給設備１１および複数のメディアインジケー
タソース１２を示し得るが、必要以上に複雑な図面となることを避けるためにそ
れぞれのうち１つのみが示される。
【００１５】
通信リンク１３は、メディア配給設備１１とユーザ機器１４との間に供給され
る。通信リンク１３は、例えば、サテライトリンク、電話ネットワークリンク、
ケーブルまたは光ファイバリンク、マイクロ波リンク、ラジオ周波数リンク、イ
ンターネットリンク、データオーバーケーブルサービスインタフェース指定リン
ク、そのようなリンクの組み合わせ、あるいは任意の他の適切なリンクであり得
る。通信リンク１３は、デジタル通信、アナログ通信、またはこれらの組み合わ
せであり得る。ビデオおよびデータ信号は、リンク１３を介して送信され得る。
メディア配給設備１１またはメディアインジケータソース１２は、例えば、メデ
ィアインジケータに関連付けられたメディアを識別するメディアインジケータデ
ータを配送する適切な送信機器を含み得る。あるアプローチにおいて、メディア
インジケータおよび／またはメディアインジケータデータは、テレビ信号の垂直
帰線間隔で配送され得る。別のアプローチにおいて、メディアインジケータおよ
び／またはメディアインジケータデータは、デジタルチャンネルに関連付けられ
た帯域内データストリームにおいて提供され得る。
【００１６】
さらに別の適切なアプローチにおいて、インジケータおよび／またはインジケ
ータデータは、プログラミングスケジュールに基づいて決定され得る。スケジュ
ール情報は、電子プログラムガイドから提供され得る。ユーザがメディアインジ
ケータにタグ付けすると、タグ付けされたメディアインジケータに関連付けられ
たメディアは、スケジュール情報に基づいて決定され得る（例えば、ユーザが合
わせた時間およびチャンネル）。メディアインジケータおよびソフトウェアアプ
リケーション（例えば、インターネットアプリケーション）内のデータに関して
、アプリケーションは、スクリーン要素を、例えば、メディア識別子を用いるメ
ディアと関連付け得る。
【００１７】
メディア配給設備１１からのメディアインジケータデータは、ユーザ機器１４
の制御回路機器１５によって受信され得る。制御回路機器１５の機能は、セット
トップボックス、パーソナルコンピュータ、または他の機器によって提供され得
る。所望ならば、このような機器の組み合わせが使用され得る。
【００１８】
ユーザ機器１４は、メディア配給設備１１、メディアインジケータソース１２
、およびユーザ機器１４間に通信を供給する通信デバイス１６を含み得る。通信
デバイス１６は、モデム（例えば、任意の適切なアナログまたはデジタル規格、
携帯電話またはケーブルモデム）、ネットワークインタフェースカード（例えば
、イーサネット（Ｒ）カード、トークンリングカードなど）、または他の適切な
通信デバイスであり得る。
【００１９】
ユーザ機器１４はまた、メモリ１７を含み得る。メモリ１７は、アプリケーシ
ョン命令およびメディアリストデータを構築するメディアリストを格納するのに
適した任意の電子メモリまたは他の格納デバイス（例えば、ランダムアクセスメ
モリ（ＲＡＭ）、フラッシュメモリ、ハードディスクドライブ、またはそのよう
なデバイスの組み合わせなど）であり得る。
【００２０】
ユーザ機器１４は、ビデオレコーダ９を含み得る。ビデオレコーダ９は、ビデ
オカセットレコーダ、デジタルビデオレコーダ、パーソナルビデオレコーダ（例
えば、ＴｉＶｏ、または他の適切なレコーダ）であり得る。
【００２１】
ユーザは、入力デバイス１８を介してユーザ機器１４と相互通信する。入力デ
バイス１８は、ポインティングデバイス、無線遠隔制御、キーボード、タッチパ
ッド、音声認識システム、または任意の他の適切なユーザ入力デバイスであり得
る。メディアリスト構築システムの機能にアクセスするために、入力デバイス１
８がシステムに命令するために使用され、ディスプレイデバイス１３で表示する
メディアリストのメニューを生成し得る。
【００２２】
機能的に構築して生成するメディアリストを提供するためのコンピュータ容認
命令は、多様な方法でインプリメントされ得る。アプリケーションの命令または
これらの命令に対する更新を構築するメディアリストは、制御回路機器１５で用
いるメモリ１７において格納するために通信リンク１３を介して送信され得る。
所望ならば、メディアリストのアプリケーション命令は、機器の製造時に、また
は初期のセットアップ状態で制御回路機器１５においてインストールされ得る。
そのような命令をロードする他の方法はまた使用され得る。本明細書中に記載さ
れるようなそのような機能性は、双方向テレビ番組ガイドアプリケーションの一
部または別物としてインプリメントされ得る。そのような命令および／または機
能性は、制御回路機器１５、メディア配給設備１１でインプリメントされるか、
または制御回路機器１５およびメディア配給設備１１の両方、あるいは他の位置
の機器を用いてインプリメントされ得る。
【００２３】
ディスプレイデバイス１３は、制御回路機器１５に動作可能に結合され得る。
ディスプレイデバイス１９は、テレビセット、モニタ、または制御回路機器１５
から受信されるオーディオビジュアルを提示することが可能である他のディスプ
レイデバイスであり得る。メディア配給設備１１は、テレビ配給設備（例えば、
ヘッドエンド、テレビ放送局など）、インターネットコンテンツを提供するため
の配給設備などであり得る。メディア配給設備１１は、メディアおよび／または
メディアインジケータを提供するためのサーバーを含み得る。
【００２４】
図２は、一例としてメディアリストを構築し、使用するためのプロセス２０の
一実施形態を示す。図２は、制御回路機器１５（図１）（他の回路（例えば、メ
ディア配給設備１１）とできる限り組み合わされる）のハードウェアおよび／ま
たはソフトウェアを介して実行可能な制御プログラムを機能レベルで例示的に示
すフローチャートを示す。プロセスは、メディアインジケータを受信するステッ
プ（ステップ２１）と、ユーザによって観測されるようにメディアインジケータ
を提供するステップ（ステップ２２）と、リストに含めるためのメディアを指定
するステップ（ステップ２３）と、ユーザがユーザプロフィールリストを任意的
に選択することを可能にするステップ（ステップ２３ａ）と、メディア包括（ｍ
ｅｄｉａ  ｉｎｃｌｕｓｉｏｎ）のユーザにフィードバックを提供するステップ
（ステップ２３ｂ）と、ユーザがメディアリストのディスプレイを要求すること
を可能にするステップ（ステップ２４）と、リストを取りだして表示するステッ
プ（ステップ２５）と、ユーザがリストから特定のメディアを選択することを可
能にするステップ（ステップ２６）と、メディアに関連した動作を実行するステ
ップ（ステップ２７）とを包含し得る。
【００２５】
制御回路機器１５（図１）の制御プログラムにより、メディアインジケータは
、ステップ２１で受信されることが可能になり得る。メディアインジケータは、
ステップ２２においてディスプレイデバイス１９（図１）上でユーザに提示され
る。次に、制御プログラムにより、ユーザは、ステップ２３においてメディアリ
ストに含めるためのメディアインジケータと関連付けられたメディアを指定する
ことが可能になる。ユーザ入力デバイスを用いて指定がなされ得る。ステップ２
３ａにおいて、ユーザは、特定のユーザの特有のプロフィールリストになるよう
にメディアの追加を任意的に選択し得る。所望ならば、ステップ２３ｂにおいて
、ユーザへのフィードバックは、メディアのリストへの追加の確認を提供する。
【００２６】
ステップ２４において、制御プログラムは、ユーザによって使用され、メディ
アリストのディスプレイを要求し得る。要求は、ユーザ入力デバイスを使用する
ことによってなされ得る。次に、制御プログラムは、ステップ２５においてメデ
ィアリストを表示し得る。そして、ユーザは、ステップ２６において入力デバイ
スを用いてリストからメディアを選択し得る。ステップ２６ａにおいて、制御プ
ログラムがユーザによって使用され、メディアに関連した動作を指示し得る。選
択された動作（例えば、メディア表示すること）は、ステップ２７において実行
され得る。
【００２７】
システムを構築するメディアリストは、例えば、ユーザに対して機会を提供し
て、例えば、宣伝、広告（バナータイプの広告を含む）、および予告編といった
多様なメディアインジケータに関連付けられてメディアをタグ付けし得る。メデ
ィアに対する宣伝は、例えば、定期的なテレビコマーシャル、インターネットウ
ェブページ広告、受動的なガイドテレビチャンネルリスト、バーカーチャンネル
、双方向番組ガイドに表示された広告、他の双方向テレビアプリケーションで表
示された広告、番組ガイドで表示されたリストなどを含み得る。インターネット
サイトに関する広告、制作物に関する広告、またはインターネットウェブサイト
上の他のメディアに関する広告は、追加の例である。メディアインジケータの図
解の例が図３ａ〜３ｄに示される。
【００２８】
図３ａは、特有のメディア（例えば、インターネットサイト）にアクセスする
ために「クリック」され得るメディアインジケータとしてバナー３１を広告に出
すことを含むインターネットウェブページ３０の例を示す。ユーザがこのメディ
アインジケータに気付くとき、ユーザは、メディアリストに含めるためにメディ
アインジケータ３１に関連付けられたメディアを指定し得る（例えば、インター
ネットサイトに関するバナー広告に関連付けられたインターネットサイトを指定
する）。この選択は、例えば、アイテムを強調して、次に、入力デバイス１８（
図１）上のキーを押すことによって実行され得る。広告に関連付けられたメタタ
グは、関連したメディアを識別し得るか、関連したメディアのソースまたは位置
を識別し得るか、あるいは、メディアまたは広告の特徴を識別し得る。
【００２９】
テレビディスプレイスクリーン３２の例を図３ｂに示す。テレビディスプレイ
スクリーン３２において、領域３３は、現在の表示された番組に関連付けられた
番組に関するメディアインジケータを含む。領域３３は、番組リストを用いて表
示され得る。番組リストは、双方向テレビアプリケーションに対して利用可能で
ある。この図解において、メディアインジケータは、購入して利用可能になり得
るペイパービュー映画を上演する。このメディアインジケータが提示されるとき
、ユーザは、例えば、入力デバイス１８（図１）のキーを押すことによってメデ
ィアリストの含めるためのメディアを指定し得る。
【００３０】
図３ｃは、例えば、ショッピングチャンネルのビデオを含み得るディスプレイ
スクリーン３４を示す。ショッピングチャンネルのビデオにおいて、ビデオクリ
ップ３５のメディアインジケータは、メディアリストに追加されるように指定さ
れ得る。この例において、メディアがタグ付けされ得るというユーザに対するス
クリーン上の表示がないにもかかわらず、指定され得る。ユーザが、ビデオクリ
ップ３５に気付くと、ユーザは、例えば、入力デバイス１８（図１）上のキーを
押すことによってメディアリストに含めるためのビデオクリップを指定し得る。
【００３１】
メディアインジケータの他のタイプが、双方向アプリケーション（例えば、プ
ログラムガイド）において提供され得る。図３ｄに示されるように、番組ガイド
メニューのディスプレイスクリーン３６は、一般的なメディアリスト、ならびに
購入に対する提供（例えば、「ＰＰＶ」（ペイパービュー）として指定される、
ボクシングの試合のリスト３７）および双方向広告３８を含み得る。ユーザがこ
れらのメディアインジケータ（プログラムリストまたは広告）に気付くと、ユー
ザは、リスト３７に関連付けられたメディアまたはメディアリストに含めるため
の広告３８に関連付けられたメディアを指定し得る。例えば、入力デバイス１８
（図１）上のキーを押すことによって指定され得る。
【００３２】
図４は、メディアリストに対してさらなるメディアを要求するユーザ入力（例
えば、図１のユーザ入力デバイス１８を用いるキーエントリ）に応答して表示さ
れる選択メニュー４０を示す。メディア選択メニュー４０は、アイコンまたはテ
キスト情報、あるいはテレビ番組のビデオ４１上に重ね合わせられたアイコンま
たはテキスト情報の組み合わせを含み得る。この機能により、ユーザは、これら
の現在の動作を停止することを必要とせず、テレビを見ることを所望する間、ま
たはアプリケーションとインタラクトすることを所望する間に発見されたメディ
アのトラックを維持することが可能になる。次に、ユーザは、例えば、「はい」
４２および「いいえ」４３の選択肢の間を切り換えるための遠隔制御のナビゲー
ションキーを用いて、および選択するための遠隔制御のエントリ機能を用いて選
択し得る。「はい」の選択がされると、メディアは、メディアリストに追加され
得る。そのメディアがメディアリストに追加されると、ユーザ機器がメディアに
アクセス可能にするために十分な情報が格納され得る。メディアおよびメディア
インジケータは格納され得ず、どちらかと言うと、コンテンツ、ソース、アドレ
ス、およびメディアに関連する他の情報に関する情報が格納され得る。後になっ
て、メディアの位置を識別するため、およびメディアリストまたは情報ディスプ
レイスクリーンにおいてユーザに提示され得るいくつかのコンテンツ情報を提供
するために、情報が格納され得る。この情報は、ユーザ機器メモリ１７（図１）
または遠隔位置（例えば、メディア配給設備１１（図１）におけるサーバー）に
おいて格納され得る。
【００３３】
メディアリストに含めるためのメディアのタグ付けは、特定のメディアにおけ
るユーザの興味を示す。メディアのタグ付けが、メディアの特定のカテゴリにお
いてユーザの興味を示すので、広告のメディアリスト選択に基づいて、広告がユ
ーザに提示され得る。例えば、ユーザがメディアリストにおいて含めるために自
動車関連のメディアを指定する場合、そのユーザの興味のカテゴリに自動車が追
加され得る。次に、自動車関連の広告が、そのユーザの自動車の興味に一致する
ように提示され得る。
【００３４】
所望ならば、システムを構築するメディアリストが、複数のユーザのリストを
サポートし得る。図５に示されるように、例えば、ユーザは、入力デバイス１８
（図１）を用いてガイダンスシステムメニューのディスプレイスクリーン５２か
らセットアップオプション５１を選択し得る。ユーザが図５のセットアップオプ
ション５１を選択すると、図６のガイダンスシステムのセットアップメニュー６
１が表示され得る。ここで図６を参照すると、「ユーザプロフィール」オプショ
ン６２は、異なるユーザによって指定されることができるように選択され得る。
ユーザプロフィールオプション６２が選択されると、異なるユーザは、ユーザ自
身のメディアリストを構築し得る。ユーザは、最初にログインすることによって
、またはいくつかの他のユーザ識別技術を用いることによってユーザのメディア
リストに追加し得る。
【００３５】
図７に示されるように、特有のユーザリストへのアクセス（すなわち、ユーザ
メディアリストへのアクセス、このリストにエントリを追加するためのアクセス
）は、リストインジケータ領域７１を用いて要求され得る。リストインジケータ
領域７１は、野球の試合のビデオの領域７２上に重ね合わせられ得る。ユーザは
、入力デバイス１８を用いて（例えば、「ＪＯＨＮ」７３、「ＭＡＲＣＩＡ」７
４、または「ＭＩＧＵＥＬ」７５を選択するための遠隔制御ナビゲーションキー
を用いて）特定のユーザを選択し得る。ユーザリストへのアクセスは、パスワー
ドまたは他のセキュリティ手段の使用によって制限され得る。
【００３６】
図８に示されるように、図７の領域７１においてユーザの１人が選択されると
、メニュー領域８１が、そのユーザのメディアリストにエントリを追加するため
に現れ得る。例えば、領域８１といった領域に関して図４をさらに参照されたい
。
【００３７】
特定のユーザに対するメディアリストを見ると、図９のユーザメディアインジ
ケータリスト領域９１が、メディアリストを見るときの興味によって示すユーザ
の選択（例えば、ユーザ入力デバイスを用いる）に応答して表示され得る。リス
トから選択されるユーザに応答して、メディアリスト（例えば、図１０に示され
るメディアリスト）が表示され得る。
【００３８】
図１０に示されるように、メディアリスト１０１は、例えば、ペイパービュー
チャンネルまたは番組のリストに関するリスト１０２、賞金チャンネルまたは番
組１０３、放送されたテレビチャンネルまたは番組１０４、インターネットウェ
ブサイト１０５、またはビデオオンデマンド選択といった多様なリストを含み得
る。スクリーンはまた、１つ以上の広告１０６を含み得る。１つ以上の広告１０
６は、インタラクトされ、メディア選択または他の基準に基づいて対象にされ得
る。ユーザは、例えば、他のリストを選択するためのナビゲーション方法を用い
ることによってメディアリスト１０１においてリストを選択し得る。メディアリ
ストの特定のプレビューまたは予告編が利用可能である場合、プレビューアイコ
ン１０７によって利用できることが示され得る。プレビューまたは予告編が、例
えば、リスト間を移動するためのナビゲーション方法を用いて、および選択する
ために入力デバイス１８（図１）のエントリ機能を用いることによって選択され
得る。
【００３９】
所望ならば、システムは、メディアリストのメディアが現在利用できるかどう
かを判定し得る。図１１に示されるように、「レイダース・失われたアーク」１
１０が選択されるとき、利用可能なシステムがチェックされ得る。図１２に示さ
れるように、レイダース・失われたアークの選択がアクセス可能でない場合、領
域１２０は、利用不可能であることをユーザに通知するように表示され得る。シ
ステムはまた、現在利用可能でないメディアリスト上のメディアを保持する機会
をユーザに提供し、そして、メディアが利用可能であるときにユーザに知らせ得
る。システムは、例えば、ビデオオンデマンドサーバー、またはシステムにおけ
る別のサーバー（例えば、メディア配給設備におけるビデオオンデマンドサーバ
ー）で動作するか、あるいは、近くに、または遠隔に格納されたプログラムガイ
ドデータベースで動作するプロセスと共にメディアを登録し得る。メディアが利
用可能になると、システムは、図１３の通知インジケータ１３０を用いて利用可
能であることをユーザに知らせ得る。通知インジケータ１３０は、鑑賞用のメデ
ィアにアクセスする機会をユーザに提供し得る。インジケータ１３０は、ディス
プレイ領域として示されるが、他の形式（例えば、アイコン）を有し得る。
【００４０】
通知はまた、メディアリスト上にあるアイテムに類似した、または関連したメ
ディアに対して提示され得る。例えば、レイダース・失われたアークに関する通
知インジケータ１３０は、現在のメディアリストが、別のインディ・ジョーンズ
の映画のリスト、あるいは、レイダース・失われたアークに類似するか、または
関連される他の映画のリストを含むことを識別するシステムに応答して表示され
得る。メディアリスト上のメディアは、ユーザへの通知に対して、関連したメデ
ィアまたは類似のメディアを識別するために使用され得る属性に関連付けられた
属性を有し得る。属性は、例えば、俳優、ジャンル、メディアソース、制作物の
タイプ、評価、コンテンツタイプなどの特徴を含み得る。
【００４１】
別の実施形態において、視聴者は、例えば、制作物情報に組み込まれた、テレ
ビまたはコンピュータスクリーンを使用し得る。ディスプレイと制作物情報との
関連性は、例えば、時折メタタグとして公知のメタデータリンクといった拡張し
たデータセットを用いることによって達成され得る。メタタグリンクの広告に対
するシステムは、例えば、Ｍｏｏｒｅらによる米国特許出願第０９／８２３，５
８８号（２００１年３月３０日出願）に記載され、その全体を本明細書中で参考
のために援用する。
【００４２】
図１４を参照すると、スクリーン７００を用いて、ユーザにとって興味あるも
のの購入の機会をタグ付けし得る。スクリーン７００は、例えば、男性のジャケ
ット７１０、または鉢植え７１１といった興味のスクリーンエレメントを含み得
る。このスクリーンエレメントは、エレメントに関連付けられたオーダーオプシ
ョンにリンクされる。所望ならば、特定のユーザに対して興味がありそうなスク
リーンエレメントは、ユーザプロフィールに格納された好みを用いて識別され得
る。ユーザプロフィールは、個々のユーザの興味のカテゴリのリストを含み得る
。それぞれの個々のユーザに対して１つのユーザプロフィールがあり得る。好み
のプロフィール特性を有するシステムの例は、米国特許出願第０９／０３４，９
３４号に示され、その全体を本明細書中で参考のために援用する。一人一人が、
個々のユーザプロフィールの興味のカテゴリとして含まれる「男性の衣類」を有
し得る。ユーザプロフィールは、好みを特定することによってユーザにより構成
され、使用または以前購入した好みに基づいて自動的に構成され得る。
【００４３】
スクリーン７００を見るユーザが、興味あるものを購入するための機会をタグ
付けすること（すなわち、ユーザ個人のユーザプロフィールのカテゴリに関連付
けられたアイテム）を望み、ユーザは、メディアリストにアイテムを追加するた
めに前述したようにタグ付けを実行し得る。例えば、スクリーン７００が、メデ
ィアリストのタグ付けに対してユーザによって選択される場合（例えば、ユーザ
がスクリーン７００においてビデオを鑑賞中に遠隔制御キーを押す場合）、ジャ
ケット７００を購入するための購入スクリーンまたはジャケット７１０のプロモ
ーションメディアは、ユーザのメディアリストに追加され得る。スクリーン上の
複数のアイテムがタグ付けのために利用可能である場合、ユーザは、興味のアイ
テムをタグ付けするために入力デバイス１８（図１）を用いるアイテムのうちの
特定の１つを示し得る。あるいは、ユーザは、タグ付け機能を選択して、選択す
るためにアイテムのリストと共に提示され得る。ジャケット７１０の購入スクリ
ーンまたはメディアが、男性の衣類に関するカテゴリがそのユーザのプロフィー
ルに含まれるときに追加され得る。その後、ユーザによってメディアリストにア
クセスすると、ユーザは、次に、ジャケットに関するリストを選択し得、および
、ジャケットに関連付けられたメディアにアクセスするか、またはジャケットの
詳細な情報を含む購入スクリーンにアクセスし得る。
【００４４】
図１４に関連して概して示されるように、ユーザに提示されるビデオは、制作
物がビデオの動作の一部としてユーザに示されるシーンを含み得る。特定のメデ
ィアは、そのような制作物と関連付けられ得る。そのような制作物は、ユーザ機
器を介してユーザにアクセス可能である。メディアは、ウェブサイト、ビデオプ
ロモーション、広告などであり得る。制作物およびメディアの関連性についての
情報は、その制作物を有する場面を含むビデオがユーザに提示されるときにユー
ザ機器に対して利用可能であり得る。ユーザ機器は、ポインティングデバイスお
よびデータエントリキー（例えば、ＯＫまたはマウス「クリック」キー）を用い
ることによってビデオに表示されるエレメントに、ユーザが興味を示すことを可
能にするように構成され得る。
【００４５】
ユーザが制作物に興味を示すとき、および制作物に関連付けられたメディアが
あるとき、制作物に関連付けられたメディアは、メディアリストに追加され得る
。ユーザは、例えば、メディアインジケータにタグ付けして、スクリーンをタグ
付けして（例えば、図１４のスクリーン７００）、スクリーンにおいてアイテム
をタグ付け（例えば、図１４のジャケット７１０）などすることによって、制作
物における興味を表現し得る。制作物に対するメディアは、ユーザプロフィール
に基づいて自動的にメディアリストに追加され得る。いくつかの場合において、
メディアインジケータは、ユーザに対して明白に識別され得ない（例えば、メデ
ィアインジケータがビデオに組み込まれる場合）。そのような場合、現在のスク
リーンまたは制作物に関連付けられ得るメディアインジケータデータは、メディ
アリストに追加されるようにメディアを識別するために使用され得る。
【００４６】
図１５の例示の表示スクリーン８００は、図１４のジャケットが現在のユーザ
メディアリストに追加されるようにタグ付けされる後に、ユーザの要求に関して
表示され得る。表示スクリーン８００は、メディアインジケータに関連付けられ
たメディアに対するリスト、およびユーザ機器を介してユーザにアクセス可能か
、または提示される他のアイテムからのリストとを含み得るメディアリスト８０
２を含み得る。メディアリスト８０２は、異なるアイテムを管理するときのユー
ザのツールであり得る。異なるアイテムは、ユーザが鑑賞して、アクセスし直し
得る位置におけるアイテムについての情報を格納することによってユーザにとっ
て興味がある。メディアリスト８０２は、ウェブサイト、受信した電子メール、
テレビ番組、映画、ビデオオンデマンドの番組、近くで、または遠隔でデジタル
ビデオレコーダに格納される番組、リマインダ、特別なビッグイベント、シーズ
ンチケットイベント、広告に関連付けられたメディア、コマーシャル、プロモー
ション、または他の販売タイプのプレゼンテーションなどに関するリストを含み
得る。メディアリスト８０２は、広告、予告編、または他のプロモーション的な
材料に関するメディアのリストだけでなく、他の双方向テレビのアプリケーショ
ン特性からのリストもサポートする主要なメディアリストとみなされ得る。示さ
れるように、図１４のジャケット７１０に対するプロモーション的なビデオに関
するリスト８０３は、メディアリスト８０２に含まれ得る。メディアリスト８０
２はまた、より早く特徴付けられたビデオオンデマンド番組に関するリスト８０
４および８０６を含み得る。メディアリスト８０２は、ケーブルチャンネル上の
テレビ番組に関するリスト８０８をさらに含む。メディアリスト８０２はまた、
ユーザに関連付けられた局所的または遠隔的なデジタルビデオレコーダによって
記録された番組に関するリスト（例えば、リスト８１０）を含み得る。ユーザに
よって設定されたリマインダ（例えば、リマインダリスト８１０）はまた、メデ
ィアリスト８０２において含まれ得る。
【００４７】
ユーザがメディアリスト８０２においてアイテムを選択すると、ガイダンスア
プリケーションは、そのリストに対して利用可能であるユーザメディアに提示さ
れるそのリストに格納される情報を使用し得る。所望ならば、情報表示スクリー
ンまたはオーバーレイは、メディアリスト８０２に位置されたリストを選択する
ユーザに基づいてユーザに提示され得る。情報表示スクリーンは、例えば、リス
トに関連した詳細または説明といった情報を提供し得る。情報表示スクリーンは
、番組ガイド特性および他のオプション（例えば、調整、記録、リマインド、ペ
アレンタルコントロール、購入、プレビューなど）を含み得る。情報表示スクリ
ーンは、例えば、Ｒｕｄｎｉｃｋらによる米国特許出願第０９／３５６，２６８
号（１９９９年７月６日出願）に開示され、その全体を本明細書中で参考のため
に援用する。
【００４８】
場合によっては、ユーザ機器により、多くの異なる方法において、ユーザは、
メディアインジケータ、制作物、番組、リマインダ、ウェブサイトなどに関連付
けられたメディアを追加することが可能になる。例えば、メディアを追加するよ
うにユーザに機会をインプリメントするための技術は、当業者に公知である。例
えば、特別なキーは、メディアリストまたは主要なメディアリストにアイテムを
追加することが指定されるように提供され得る。ユーザは、興味のアイテムを識
別するためにカーソルまたはハイライトウィンドウをナビゲートして、メディア
リストにアイテムを追加するために特別なキーを押し得る。他の例は、情報表示
スクリーン、またはユーザが、メディアリストにアイテムを追加するときの興味
を示すことを可能にする表示におけるリストオプションへの追加を含み得る。
【００４９】
従って、メディアリストを構築するためのシステムおよび方法が提供される。
当業者は、本発明が開示される実施形態以外によって実行され得ることを理解し
得る。記載される実施形態は、例示の目的のために提示され、限定のためではな
い。本発明は、上掲の特許請求の範囲によってのみ限定される。
【図面の簡単な説明】
【００５０】
【図１】図１は、本発明によるシステムを構築するユーザメディアリストの実施形態を示すブロック図である。
【図２】図２は、本発明によるシステムを構築するユーザメディアリストの実施形態に関する例示のフローチャートである。
【図３ａ】図３ａは、本発明によりユーザに提供され得る典型的なウェブページ広告の表示図を示す。
【図３ｂ】図３ｂは、本発明によりユーザに提供され得るケーブルテレビ信号上に重ね合わされた領域に関連した典型的なペイパービューの表示図を示す。
【図３ｃ】図３ｃは、本発明によりユーザに提供され得る宣伝のビデオクリップの表示図を示す。
【図３ｄ】図３ｄは、本発明によりユーザに提供され得るガイダンスアプリケーションメニューの表示図を示す。
【図４】図４は、本発明によるメディアリストにさらなるメディアを要求することを含んだ表示の表示図を示す。
【図５】図５は、本発明によりユーザに提供され得るセットアップメニューの表示図を示す。
【図６】図６は、本発明によりユーザに提供され得るユーザプロフィール選択メニューの表示図を示す。
【図７】図７は、本発明によりユーザに提供され得るユーザ選択メニューの表示図を示す。
【図８】図８は、本発明により選択されたユーザに関するメディアの要求を表す表示図を示す。
【図９】図９は、本発明によりユーザに提供され得るメディアリストのユーザ選択メニューの表示図を示す。
【図１０】図１０は、本発明によりユーザに提供され得るプレビューの選択肢を有するメディアリストの表示図を示す。
【図１１】図１１は、本発明よりユーザに提供され得るペイパービュー選択メニューの表示図を示す。
【図１２】図１２は、本発明によりユーザに提供され得る利用不可能なメディアの通知の表示図を示す。
【図１３】図１３は、本発明によりユーザに提供され得る利用可能なメディアの通知の表示図を示す。
【図１４】図１４は、本発明によりユーザに提供され得る組み込まれた制作物の情報と共にテレビスクリーンの表示図を示す。
【図１５】図１５は、本発明により提供され得る表示スクリーンの表示図を示す。
【図１】
2008278537.tif 000003
【図２】
2008278537.tif 000004
【図３ａ】
2008278537.tif 000005
【図３ｂ】
2008278537.tif 000006
【図３ｃ】
2008278537.tif 000007
【図３ｄ】
2008278537.tif 000008
【図４】
2008278537.tif 000009
【図５】
2008278537.tif 000010
【図６】
2008278537.tif 000011
【図７】
2008278537.tif 000012
【図８】
2008278537.tif 000013
【図９】
2008278537.tif 000014
【図１０】
2008278537.tif 000015
【図１１】
2008278537.tif 000016
【図１２】
2008278537.tif 000017
【図１３】
2008278537.tif 000018
【図１４】
2008278537.tif 000019
【図１５】
2008278537.tif 000020